(57)【要約】【課題】農薬を使用することなく軟弱野菜等の植物に付着する害虫を植物を痛めずに捕獲駆除し、畝幅等にもフレキシブルに対応可能な害虫防除用捕集機を提供する。【解決手段】台車３３搭載あるいは背負式の送風発生手段３４と、送風発生手段３４に連結される送風管１４ａと、送風管１４ａの送風口１４ａ−１と対向した開口１２ａを備えた袋状の捕集網１２と、送風管１４ａと捕集網１２の開口１２ａとの間に垂設された虫追い出し具１３とを備え、虫追い出し具１３が植物Ｙに当たることで植物Ｙについた害虫Ｍを追い出し、送風口１４ａ−１から植物Ｙに向けた送風で、害虫Ｍを捕集網１２の内部に追い込んで捕獲する。【選択図】  図１
2004283146.tif 000002
【特許請求の範囲】
【請求項１】
台車搭載あるいは背負式の送風発生手段と、
上記送風発生手段に連結される送風管と、
上記送風管の送風口と対向した開口を備えた袋状の捕集網と、
上記送風管と上記捕集網の開口との間、或いは、上記送風管に対して上記捕集網と反対側に垂下された虫追い出し具とを備え、
上記虫追い出し具は柔軟性を有すると共に上記送風管からの送風で撓む素材より形成し、該虫追い出し具が植物に接触すると該植物についた害虫が追い出されて、上記送風口から送風で上記捕集網の内部に追い込まれる構成としていることを特徴とする害虫防除用捕集機。
【請求項２】
上記虫追い出し具は、水平方向に間隔をあけて垂下された複数の紐状部材としている請求項１に記載の害虫防除用捕集機。
【請求項３】
台車搭載あるいは背負式の送風発生手段と、
上記送風発生手段に連結される送風管と、
上記送風管に設けられ地面に向けて送風する送風口と、
上記送風管の送風口と対向した開口を備えた袋状の捕集網とを備え、
上記送風口からの送風で地面または植物に付いた害虫が追い出されて、上記捕集網の内部に捕獲される構成としていることを特徴とする害虫防除用捕集機。
【請求項４】
上記台車は畝を左右に横断するフレームを設け、該フレームの両側、或いは、中央にて車輪を左右方向に位置調節可能に取り付けている請求項１乃至請求項３のいずれか１項に記載の害虫防除用捕集機。
【請求項５】
上記台車は畝を左右に横断するフレームを設け、該フレームに対してハンドルを左右方向に位置調節可能に取り付けている請求項１乃至請求項４のいずれか１項に記載の害虫防除用捕集機。
【請求項６】
上記車輪および上記ハンドルを一体的に合わせた状態で上記フレームに取り付け、上記ハンドルあるいは上記車輪のいずれか一方を左右方向に位置調節することで、いずれか他方も同時に位置調節される構成としている請求項４または請求項５に記載の害虫防除用捕集機。
【請求項７】
上記台車は畝を左右に横断するフレームを設け、該フレームの両側を支柱に高さ調節自在に連結してフレーム高さを調節可能とすると共に、該フレームの該支柱に対して車輪を前後方向に位置調節可能に取り付けている請求項１乃至請求項６のいずれか１項に記載の害虫防除用捕集機。
【発明の詳細な説明】
【０００１】
【発明の属する技術分野】本発明は害虫防除用補集機に関し、詳しくは、野菜、茶、花等の植物に付着する害虫を補集網を用いる物理的方法により、極力、植物を痛めないようにして大量に捕獲駆除するものである。
【０００２】
【従来の技術】
従来、野菜の害虫防除方法として、各種農薬からなる殺虫剤を使用するのが一般的である。
しかしながら、野菜の種類によっては付着する害虫に対して有効な農薬が少ない場合があると共に、マメハモグリバエ、コナガ等の薬剤抵抗性のある難防除害虫に対しては農薬による殺虫効果が低い。また、近時、消費者の安全・健康志向から残留農薬が問題となり、無農薬・減農薬栽培に対する要望が強くなってきている。
【０００３】
農薬を用いずに害虫を駆除する方法としては、天敵による駆除や交尾阻害剤（フェロモン剤）を使用する方法等があるが、これらを単独で用いても防除効果が農薬と比較して低く、農薬と併用せざるを得ない問題がある。
上記した問題より、近時、農薬を用いずに物理的方法により捕獲・駆除する害虫駆除装置が提案され始めている。
【０００４】
例えば、図１２に示す特開２００１−７８６４５号公報に開示された作物の害虫駆除装置１では、ゴム製のビータ３を放射状に突出させたロータ２を回転駆動手段５により回転させて、稲についたイネドロオイムシを捕集カゴ４に掻き入れている。
【０００５】
【特許文献】
特開２００１−７８６４５号公報
【０００６】
【発明が解決しようとする課題】
しかしながら、上記害虫駆除装置１ではビータ３で作物を叩き付けて害虫を掻き入れる構成としているため作物を傷めやすく、害虫が付着しやすいシュンギク、コマツナ、チンゲンサイ等の軟弱野菜では、野菜を叩くと、野菜を痛める問題が生じる。このように、野菜、特に、軟弱野菜に付着する害虫の駆除を有効に行える方法は未だ提供されていない。
また、ビータ３で叩きつけられて飛翔した害虫は、ロータ２の回転のみで捕集カゴ４に導いて捕獲しているため、捕集カゴ４に捕獲されずに、外部へと逃げてしまう害虫が発生する問題もある。
【０００７】
上記害虫駆除装置１は回転駆動手段５等を設けた稲用装置で大型化しており、野菜を栽培しているハウス内で用いるのには適さず、処理高さの調節機構や、処理幅の調節機構が付設されていないため、野菜の種類に対応させることができない問題もある。
【０００８】
本発明は上記した問題に鑑みてなされたもので、農薬に代えた物理的方法により農薬と同等な害虫防除機能を有し、特に、植物を痛めずに確実に害虫を捕獲し、畝幅等にもフレキシブルに対応可能な害虫防除用捕集機を提供することを課題としている。
【０００９】
【課題を解決するための手段】
上記課題を解決するため、本発明は、台車搭載あるいは背負式の送風発生手段と、
上記送風発生手段に連結される送風管と、
上記送風管の送風口と対向した開口を備えた袋状の捕集網と、
上記送風管と上記捕集網の開口との間、或いは、上記送風管に対して上記捕集網と反対側に垂下された虫追い出し具とを備え、
上記虫追い出し具は柔軟性を有すると共に上記送風管からの送風で撓む素材より形成し、該虫追い出し具が植物に接触すると該植物についた害虫が追い出されて、上記送風口から送風で上記捕集網の内部に追い込まれる構成としていることを特徴とする害虫防除用捕集機を提供している。
【００１０】
上記構成とすると、送風管から軟弱野菜等の植物方向に向けて送風すると、植物の回りを飛んでいる害虫や野菜に付着した害虫を上記捕集網に追い込むことができる。同時に、送風だけでは植物から離れない害虫については、上記虫追い出し具が植物の茎や葉に軽く接触することで、植物に付着している害虫をを飛び立たせることができ、この飛翔した害虫を送風により捕集網に追い込んで捕獲駆除することができる。
また、捕集網内に追い込まれた後は、該捕集網に向かって送風が送られ続けているために害虫は捕集網から容易に逃げ出すことができず、非常に高い害虫駆除率を達成することができる。
したがって、上記害虫防除用捕集機を用いることにより、農薬を用いずに、無農薬野菜等の植物を生産することが可能となり、かつ、植物に接触させる虫追い出し具は柔軟性を有する素材より形成しているため、接触しても植物に痛みを発生させない。
【００１１】
なお、上記害虫防除用捕集機は、シュンギク、コマツナ、チンゲンサイ等の難防除害虫がつきやすい軟弱野菜に対しては特に有効である。
また、上記捕集網は０．５ｍｍ以下の間隔としたメッシュからなる形成し、捕集網に追い込んだ小さい害虫が網目から逃げないようにしている。
【００１２】
上記虫追い出し具は、水平方向に間隔をあけて垂下された複数の紐状部材としていることが好ましい。なお、紐状部材に代えて、撓み性が良く送風を遮断せず、かつ、接触する食物に損傷を与えない素材、例えば、薄いシート材を間隔をあけて垂下させてもよい。
【００１３】
上記のように、虫追い出し具を紐状部材で形成すると、植物に柔らかく当たり、害虫が付着した植物が軟弱野菜等のデリケートな植物である場合にも植物を痛めることなく、害虫を植物から飛翔させることができる。
また、紐状部材を間隔をあけて垂下されているので、捕集網への送風を上記虫追い出し具で妨げられることがない利点もある。
【００１４】
また、本発明は、台車搭載あるいは背負式の送風発生手段と、
上記送風発生手段に連結される送風管と、
上記送風管に設けられ地面に向けて送風する送風口と、
上記送風管の送風口と対向した開口を備えた袋状の捕集網とを備え、
上記送風口からの送風で地面または植物に付いた害虫が追い出されて、上記捕集網の内部に捕獲される構成としていることを特徴とする害虫防除用捕集機を提供している。
【００１５】
上記構成とすると、土壌害虫の棲む地面に向けて直接送風が為されるので、キボシマルトビムシ等の土壌害虫を地表より浮き上がらせることができ、かつ、該送風が地面に当たって反射した風を利用して害虫を捕集網に追い込むことができる。
また、上記送風口の送風角度を調節式として、地面に向けて送風して土壌害虫を追い出して捕獲する場合と、捕集網に向けて送風してハモグリバエやコナガやスリップス等のハネを持つ害虫を捕獲する場合とを使い分けると好適である。
なお、上記送風管に予め送風角度の異なる送風口を設けておき、ハネを持つ害虫と土壌害虫との両方を同時捕獲するようにしてもよい。
【００１６】
上記台車は畝を左右に横断するフレームを設け、該フレームの両側、或いは、中央にて車輪を左右方向に位置調節可能に取り付けている。
【００１７】
上記構成とすると、上記害虫防除用捕集機を使用する畝の幅が相違する場合にも、車輪を左右方向に位置調節することで車輪間の距離を畝の溝間の距離に簡単に合わせることができる。
【００１８】
上記台車は畝を左右に横断するフレームを設け、該フレームに対してハンドルを左右方向に位置調節可能に取り付けている。
【００１９】
上記構成とすると、例えば、複数の畝を同時に上記害虫防除用捕集機で補虫作業を行う場合、ハンドル位置を左右の車輪の略中央に設定して、作業者がハンドルを持ちながら作業対象である複数の畝の中央の溝を歩行すれば、上記捕集機を押し易くなり好適である。
【００２０】
上記車輪および上記ハンドルを一体的に合わせた状態で上記フレームに取り付け、上記ハンドルあるいは上記車輪のいずれか一方を左右方向に位置調節することで、いずれか他方も同時に位置調節される構成としているとさらに好ましい。
【００２１】
上記構成とすると、フレームの端部で車輪と一体的にハンドルをフレームに取り付けているので、ハンドルを畝の溝に合わせて左右に調節すれば、車輪も自動的に溝に合わせて調節され、作業手数を低減することが可能となる。
【００２２】
上記台車は畝を左右に横断するフレームを設け、該フレームの両側を支柱に高さ調節自在に連結してフレーム高さを調節可能とすると共に、該フレームの該支柱に対して車輪を前後方向に位置調節可能に取り付けている。
【００２３】
一方、植物の丈が低い場合は、フレームを支柱に対して下部に取り付けることで、送風管、捕集網、虫追い出し具などを下方に配置し、その際に車輪をフレームから離れる前方に取り付けることで、車輪がフレーム等と干渉するのを防ぐことができる。
【００２４】
【発明の実施の形態】
以下、本発明の害虫防除用捕集機の実施形態を図面を参照して説明する。
第１実施形態の害虫防除用捕集機１０は、図１に示すように、背負式の送風発生手段３４に、台車３３に搭載した分配管１４をフレキシブルダクト１５を介して接続し、分配管１４に軸線方向に沿って間隔をあけて送風管１４ａを取り付け、該送風管１４ａの送風口１４ａ−１と対向した状態で隙間をあけて袋状の捕集網１２を台車３３に搭載している。
【００２５】
台車３３は水平方向の左右にアルミ製のフレーム１１を延在させており、フレーム１１の両端に取付紐１７を架け渡し、その取付紐１７から間隔をあけて複数本の紐状部材である虫追い出し具１３を垂下させることで、送風口１４ａ−１と捕集網１２の開口１２ａとの間に虫追い出し具１３を垂設させている。本実施形態では、隣接する虫追い出し具１３の間の間隔を５ｃｍ〜１５ｃｍ、虫追い出し具１３の上下長さを２０〜３０ｃｍとしている。
【００２６】
図３（Ａ）に示すように、フレーム１１の両端には、垂直部２２ａと水平部２２ｂとを備えたＬ形状の支柱２２が第１スライド部材１９を用いて取り付けられている。
詳しくは、第１スライド部材１９は、水平方向の水平筒部１９ａと、該水平筒部１９ａの後面に一体的に連続した垂直方向の垂直筒部１９ｂとを備えており、水平筒部１９ａをフレーム１１に外嵌してネジ２０で位置決め固定していると共に、垂直筒部１９ｂに支柱２２の垂直部２２ａを内嵌してネジ２１で位置決め固定している。
支柱２２には、垂直部２２ａの下端部より前方に連結軸２２ｃが突出しており、連結軸２２ｃの中間位置と先端とに間隔をあけて車軸部２３、２４を設けており、通常は、後述するハンドル１６を持ち上げる際の力が軽減されるように、後方側の車軸部２３に車輪１８を取り付けている。
【００２７】
フレーム１１の一端側には、左右方向の持手部１６ｄと前後方向の２本のシャフト部１６ｃとを備えた略Ｔ字形状のハンドル１６が２つの第２スライド部材２５を介して取り付けられている。
詳しくは、図６に示すように、第２スライド部材２５は、水平方向の水平筒部２５ａと、該水平筒部２５ａの後面に一体的に連続した扇状板部２５ｂとを備えており、水平筒部２５ａをフレーム１１に外嵌してネジ２６で位置決め固定している。
扇状板部２５ｂの前側根元部にはハンドル１６のシャフト部１６ｃの先端部１６ａをボルト、ナットおよびワッシャにより締結固定していると共に、後側には上下円弧状のガイド溝２５ｂ−１が切り欠かれており、シャフト部１６ｃから突出したネジ部１６ｂをガイド溝２５ｂ−１に貫通させて、所要の位置でボルト、ナットおよびワッシャにより締結固定してハンドル１６を所要の傾斜に位置決めしている。
【００２８】
フレーム１１には、その長さ方向に沿って分配管１４を取付金具３５を介して取り付け、分配管１４の一端をフレキシブルダクト１５に接続すると共に、他端は閉鎖している。なお、分配管１４はフレキシブルダクト１５との接続端１４ｂから先端側の閉鎖端１４ｃにかけて縮径するテーパー形状としている。
分配管１４には長さ方向に間隔をあけて複数の送風管１４ａを突出させており、送風管１４ａの送風口１４ａ−１を下後方に向けている。
なお、送風管１４ａの先端には、図５（Ａ）（Ｂ）に示すように、送風管１４ａの下方に拡散板３１をタイバンド３２により取り付けて、送風管１４ａより噴出された空気を拡散板３１に当てて横方向に拡散させて送風するものとすると好適である。
【００２９】
捕集網１２は、オーガンジー製の０．５ｍｍ以下の間隔のメッシュより形成し、図４（Ａ）に示すように、その開口部１２ａの上下両側にパイプ通し１２ｂ、１２ｃを設け、上下パイプ２９、３０を通して開口保持枠として、取付金具２８を介してフレーム１１に連結している。なお、下パイプ３０の配置位置は、上パイプ２９よりも前後方向の後側に位置するようにしている。
捕集網１２の上パイプ２９と送風管１４ａの送風口１４ａ−１との間の寸法Ｌは１００ｍｍ〜２００ｍｍ、好ましくは１２０ｍｍ〜１５０ｍｍとし、本実施形態では１３０ｍｍをあけて対向させており、送風口１４ａ−１は捕集網１２の開口部１２ａの下部に向けて送風を送る位置関係としている。
【００３０】
上記背負い式の送風発生手段３４としては、原動機付きのブロア２８を用い、該ブロア２８を肩掛け保持具２７上に取り付けている。ブロア２８から発生させる風速は１０ｍ／ｓｅｃ以上としており、かつ、風速は調節可能としている。
【００３１】
次に、車輪１８の位置調節について説明する。
通常は、図３（Ａ）に示すように、後方側の車軸部２３に車輪１８を取り付けているが、畝に植えられた対象作物の背丈が低い場合には、図３（Ｂ）に示すように、ネジ２１を緩めて支柱２２の垂直部２２ａに対して垂直筒部１９ｂを下方にスライドさせることで、第１スライド部材１９と共にフレーム１１を降下させる。この際、フレーム１１あるいは分配管１４が車輪１８と干渉するのを防ぐために、車輪１８を前方側の車軸２４に付け替えることができる。
【００３２】
また、両側の車輪１８の間隔を畝の幅に合わせて位置調節したい場合には、ネジ２０を緩めて水平筒部１９ａをフレーム１１に対して左右にスライドさせることで、第１スライド部材１９と共に車輪１８の左右方向の位置を調節することができる。
【００３３】
次に、ハンドル１６の位置調節について説明する。
先ず、第２スライド部材２５のネジ２６を緩め、水平筒部２５ａをフレーム１１に対して左右にスライドさせることにより、ハンドル１６を左右方向の任意の位置に位置調節する。
例えば、図７（Ａ）に示すように、１つの畝について作業を行う場合には、畝Ｕの間の溝５０の左右のいずれかを歩行する作業者がハンドル１６を握れるようにフレーム１１の端部に取り付ける。そして、図７（Ｂ）に示すように、複数の畝Ｕを同時に作業する場合には、フレーム１１の中央にハンドル１６を取り付けて、作業者が中央の溝５０を歩行しながらハンドル１６を握ることことができ、捕集機１０を押し易くすることができる。
【００３４】
また、作業者の背丈に合わせてハンドル１６の上下方向の傾斜角度を調節する場合には、ネジ部１６ｂに締結したナットＮを緩め、ネジ部１６ｂが扇状板部２５ｂのガイド溝２５ｂ−１に沿って上下に傾動させて、所定の位置でナットＮを再び締結固定する。
【００３５】
次に、害虫防除用捕集機１を用いた作業について説明する。
図２および図７に示すように、捕集機１０を両側の車輪１８が畝Ｕを跨ぐように配置し、作業者はフレキシブルダクト１５に接続した送風発生手段３４を背負うと共にハンドル１６の握手部１６ｄを持って、支柱２２の水平部２２ｂを地面より浮かせた状態で手押しする。
【００３６】
そして、図４（Ａ）（Ｂ）に示すように、送風管１４ａの送風口１４ａ−１から噴出する送風が野菜Ｙの回りを飛んでいる害虫Ｍを捕集網６の内部へと開口６ａから追い込むと同時に、紐状の虫追い出し具１３が野菜Ｙの上部の茎や葉に軽く接触して野菜Ｙに付着している害虫Ｍを強制的に飛翔させ、この飛翔した害虫Ｍを送風により捕集網１２に追い込んで捕獲駆除している。
また、虫Ｍが捕集網１２内に追い込まれた後は、捕集網１２に向かって送風が送られ続けているために害虫Ｍは捕集網１２から容易に逃げ出すことができない。しかも、上パイプ２９と下パイプ３０との前後位置をずらしているので、送風が停止された時には、図４（Ｃ）に示すように、下降した捕集網１２の上面が下パイプ３０に被されて開口１２ａが閉鎖され、害虫が開口１２ａより逃げ出すのを自動的に防止することができる。
【００３７】
害虫捕獲作業の終了後は、台車３３を後方に倒して支柱２２の水平枠２２ｂをスタンドとして地面に停車させる。その状態で、上下パイプ２９、３０を取付金具２８から取り外して、上パイプ２９と下パイプ３０とを重ね合わせて捕集網１２の開口１２ａを閉じて持ち運び、天日に干して害虫Ｍを死滅させる。
【００３８】
なお、本実施形態では、送風発生手段３４を背負式としているが、台車３３搭載式としてもよい。また、虫追い出し具１３は、紐状部材に限定されず、幅広のスリットを有するカーテン状ものでもよい。
【００３９】
図８は第２実施形態を示す。
第１実施形態との相違点は、車輪１８を左右方向に位置調節する第１スライド部材とハンドル１６を左右方向に位置調節する第２スライド部材２５’とを重ねて一体的に締結固定している点である。
【００４０】
第２スライド部材２５’は、コの字状の嵌合部２５ａ’と、該嵌合部２５ａ’の後面に一体的に連続した扇状板部２５ｂ’とを備えている。
そして、フレーム１１に外嵌された第１スライド部材１９の水平筒部１９ａに第２スライド部材２５’の嵌合部２５ａ’を外嵌して重ね、その上から一括してネジ２０で位置決め固定している。
上記構成とすると、第１スライド部材１９と第２スライド部材２５’とが一体的にフレーム１１に取り付けられているので、ハンドル１６を畝Ｕの溝に合わせて左右に調節すべく、ネジ２０を少し緩めて左右にスライドさせれば、一体的に重ねられた第１スライド部材１９もそれに伴って自動的に左右にスライドされて車輪１８も溝に合わせて調節され、作業手数を低減することが可能となる。
なお、本実施形態では、第１スライド部材１９と第２スライド部材２５とは別部材であって、重ねて締結することにより一体化させているが、別部材とせずに一部材で構成しても好適であることは言うまでもない。
また、他の構成は第１実施形態と同様であるため説明を省略する。
【００４１】
図９は第３実施形態を示す。
第１実施形態との相違点は、虫追い出し具１３を送風管１４ａよりも前方に垂らしていると共に、送風口１４ａ−１の送風方向を畝Ｕの地面に向けている点である。
【００４２】
第１実施形態の捕集機１０では、ハモグリバエ、コナガ、スリップス等のハネを持つ害虫の駆除の捕獲に大変有用であるが、本実施形態では、有機肥料による栽培下において、キボシマルトビムシ、キマルトビムシ、ユアサムラサキトビムシ、ヒメシロツノトビムシ、ヤギトビムシモドキ、シロトビムシモドキ、ワタナベトビムシモドキ、ミツメトビムシモドキ等の腐敗した堆肥中に存在する土壌害虫が、野菜の新芽や新葉に集まって食害する問題に鑑みて、これら土壌害虫についても効果的に捕獲することを目的としている。
【００４３】
図９に示すように、分配管１４から突出する送風管１４ａを斜め下方に向けて送風口１４ａ−１から噴出する送風が地面に吹き付けられるようにしているので、土壌害虫Ｄの棲む地面に向けて直接送風が為されるので、キボシマルトビムシ等の土壌害虫Ｄを地表より浮き上がらせることができ、かつ、該送風が地面に当たって反射した風を利用して土壌害虫Ｄを捕集網に追い込むことができる。
また、送風管１４ａよりも前方に垂下された虫追い出し具１３の下端を野菜Ｙに当てることで、土壌害虫Ｄを野菜Ｙから送風流れの中に追い出して捕集網１２に捕獲している。
なお、送風管１４ａの送風角度を調節式として、地面に向けて送風して土壌害虫Ｄを追い出して捕獲する場合と、捕集網１２に向けて送風してハモグリバエやコナガやスリップス等のハネを持つ害虫Ｍを捕獲する場合とを使い分けてもよい。
また、他の構成は第１実施形態と同様であるため説明を省略する。
【００４４】
図１０は第４実施形態を示す。
第３実施形態との相違点は、異なる送風方向をもつ送風管１４ａ’、１４ｂ’を夫々設けている点である。
【００４５】
即ち、第３実施形態と同様に地面に向けて送風する送風管１４ａ’と、捕集網１２の開口１２ａに向けて送風する送風管１４ｂ’とを併存させている。
このように、送風方向を２方向とすることで、送風管１４ａ’から地面に向けて吹き付けられる送風で地面や野菜Ｙに付着したキボシマルトビムシ等の土壌害虫Ｄやハネを持つ害虫Ｍが追い出され、かつ、地面からの反射の風により捕集網１２へと捕獲できると同時に、送風管１４ｂ’からの送風により飛翔している害虫Ｍを捕集網１２に捕獲できる。
なお、他の構成は第１実施形態と同様であるため説明を省略する。
【００４６】
図１１は第５実施形態を示す。
第１実施形態との相違点は、車輪１８をフレーム１１の中央位置に取り付けて、両側には取り付けていない点である。
【００４７】
横断するフレーム１１の略中央位置において、上面視でＴ字形の車輪取付フレーム４０を取りつけ、該車輪取付フレーム４０の軸部４１の両端に車輪１８を２つ取り付けている。
例えば、畝Ｕの一側にあるハウスの壁面と畝Ｕとの間に通路が無い場合や、通路はあっても作物が大きくなり車輪で傷つけてしまう恐れがある場合には、図１１に示すように、畝Ｕの一方側にある溝５０のみに、つまり、両畝Ｕの中間の溝５０に車輪１８を走行させて、両畝Ｕを同時に害虫防除作業を行うことができ有効である。
なお、他の構成は第１実施形態と同様であるため説明を省略する。
【００４８】
【発明の効果】
以上の説明より明らかなように、本発明の害虫防除用捕集機によれば、軟弱野菜等の植物に送風を与えて野菜の回りを飛んでいる害虫や野菜に付着した害虫を上記捕集網に追い込むことができると同時に、送風だけでは植物から離れない害虫については、上記虫追い出し具が植物の茎や葉に軽い接触を与えることで、植物に付着している害虫を強制的に飛翔させ、この飛翔した害虫を送風により捕集網に追い込んで捕獲駆除することができ、農薬を用いずに、無農薬野菜等の植物を生産することが可能となる。
また、上記虫追い出し具として、水平方向に間隔をあけて垂下された複数の紐状部材とすることで、植物に柔らかく当てることができ、害虫が付着した植物が軟弱野菜等のデリケートな植物である場合にも植物を痛めることなく、害虫を植物から飛翔させることができる。
一方、送風の向きを地面に向けた場合には、キボシマルトビムシ等の土壌害虫を地表より浮き上がらせて、送風が地面に当たって反射した風を利用して土壌害虫を捕集網に追い込むことができる。
【００４９】
さらに、上記車輪や上記ハンドルを上記フレームに対して左右方向に位置調節可能に設置することで、畝の幅が相違する場合にも車輪間の距離を合わせることができると共に、状況に合わせて作業者が押し易い位置にハンドルを取り付けることができる。この際、車輪と一体的にハンドルをフレームに取り付ければ、ハンドルまたは車輪のいずれか一方を畝の溝に合わせて左右に調節すれば、他方も自動的に溝に合わせて調節され、作業手数を低減することができる。
また、上記車輪を前後方向に位置調節可能に取り付けることで、フレームを上記支柱に対して降下させて使用する場合に、送風管、捕集網、虫追い出し具などと車輪が干渉しないように、取付位置を位置変更することも可能となる。
【図面の簡単な説明】
【図１】本発明の第１実施形態の害虫防除用捕集機の斜視図である。
【図２】害虫防除用捕集機の使用状況を示す側面図である。
【図３】（Ａ）は害虫防除用捕集機の要部斜視図、（Ｂ）はフレームを降下させた状態の要部斜視図である。
【図４】（Ａ）（Ｂ）は害虫の捕獲を説明する図面、（Ｃ）は送風停止時の捕集網の側面図である。
【図５】（Ａ）は拡散板を送風管に取り付けた状態の斜視図、（Ｂ）は側面図である。
【図６】ハンドルが取り付けられた第２スライド部材の拡大図である。
【図７】（Ａ）（Ｂ）は害虫防除用捕集機の使用状況を示す上面図である。
【図８】第２実施形態の害虫防除用捕集機の要部斜視図である。
【図９】第３実施形態の害虫の捕獲を説明する図面である。
【図１０】第４実施形態の害虫の捕獲を説明する図面である。
【図１１】第５実施形態の害虫の捕獲を説明する図面である。
【図１２】従来例を示す図面である。
【符号の説明】
１０        害虫防除用捕集機
１１        フレーム
１２        捕集網
１３        虫追い出し具
１４        分配管
１４ａ      送風管
１４ａ−１  送風口
１６        ハンドル
１８        車輪
１９        第１スライド部材
１９ａ      水平筒部
１９ｂ      垂直筒部
２０、２１、２６  ネジ
２２        支柱
２３、２４  車軸部
２５        第２スライド部材
２５ａ      水平筒部
２５ｂ      扇状板部
２５ｂ−１  ガイド溝
５０        溝
Ｍ          害虫
Ｙ          野菜
Ｕ          畝
【図１】
2004283146.tif 000003
【図２】
2004283146.tif 000004
【図３】
2004283146.tif 000005
【図４】
2004283146.tif 000006
【図５】
2004283146.tif 000007
【図６】
2004283146.tif 000008
【図７】
2004283146.tif 000009
【図８】
2004283146.tif 000010
【図９】
2004283146.tif 000011
【図１０】
2004283146.tif 000012
【図１１】
2004283146.tif 000013
【図１２】
2004283146.tif 000014